(57)【要約】【課題】  付加的な洗浄機構を設けることなくスクリーン本体の目詰まりを確実に防止する排水処理装置の自動スクリーンを提供する。【解決手段】  第１ローラ３、第２ローラ５および第３ローラ７が互いに平行に間隔を隔てて配設されている。第１ローラ３の周面と第３ローラ７の周面には、所定のピッチをもってスパイラル状の溝がそれぞれ形成されている。第２ローラ５の周面には、所定のピッチよりも大きいピッチをもってスパイラル状の溝が形成されている。その第１ローラ３、第２ローラ５および第３ローラ７に対して、第１ローラ３、第２ローラ５および第３ローラ７の順番に、金属または合成樹脂等から形成されたワイヤー９がスパイラル状に所定の張力をもってかけられている。【選択図】        図１
2006007098.tif 000002
【特許請求の範囲】
【請求項１】
排水処理装置において異物を除去するために使用される自動スクリーンであって、
所定の長さを有する第１ローラと、
前記第１ローラの周面に第１のピッチをもって形成されたスパイラル状の第１溝部と、
所定の長さを有し、前記第１ローラと距離を隔てて前記第１ローラと平行に配置された第２ローラと、
前記第２ローラの周面に前記第１のピッチよりも大きい第２のピッチをもって形成されたスパイラル状の第２溝部と、
前記第１ローラおよび前記第２ローラと距離を隔てて前記第１ローラおよび前記第２ローラと平行に配置された第３ローラと、
前記第３ローラの周面に前記第１のピッチをもって形成されたスパイラル状の第３溝部と、
前記第１ローラ、前記第２ローラおよび前記第３ローラの順番に、前記第１ロールの最も一端側に位置する前記第１溝部の部分、前記第２ローラの最も一端側に位置する前記第２溝部の部分および前記第３ローラの最も一端側に位置する前記第３溝部の部分から、前記第１ローラの最も他端側に位置する前記第１溝部の部分、前記第２ローラの最も他端側に位置する前記第２溝部の部分および前記第３ローラの最も他端側に位置する前記第３溝部の部分にわたってスパイラル状に順次かけられたワイヤーと、
前記ワイヤーを一定の方向に移動させるための駆動部と
を備え、
前記第１ローラと前記第３ローラとの間にわたされたワイヤー部分によって、隣り合うワイヤー部分の間隔が前記第１のピッチに基づく所定の間隔のスクリーン本体が構成され、
前記第１ローラと前記第２ローラとの間にわたされたワイヤー部分および前記第２ローラから前記第３ローラとの間にわたされたワイヤー部分では、隣り合うワイヤー部分の間隔が前記第１のピッチに基づく所定の間隔と前記第２のピッチに基づく間隔との間で変化するよう構成された、自動スクリーン。
【請求項２】
前記ワイヤーは、前記第１ローラの最も一端側に位置する第１溝部の部分にかかる前記ワイヤーの部分と、前記第３ローラの最も他端側に位置する第３溝部の部分にかかる前記ワイヤーの部分とが繋がれてエンドレスとされ、
前記ワイヤーはエンドレスの状態で移動される、請求項１記載の自動スクリーン。
【請求項３】
前記第１ローラの最も一端側に位置する第１溝部の部分にかかる前記ワイヤーの部分と接続されて前記ワイヤーを巻取る第１巻取り部と、
前記第３ローラの最も他端側に位置する第３溝部の部分にかかる前記ワイヤーの部分と接続されて前記ワイヤーを巻取る第２巻取り部と
を備え、
前記ワイヤーは、前記第１巻取り部および前記第２巻取り部に対して交互に巻取られるよう一方向と他方向に交互に移動される、請求項１記載の自動スクリーン。
【請求項４】
前記スクリーンにおける前記ワイヤーの移動方向下流側に、前記第１スクリーン上に捕えられた異物を収容するための異物収容部を備えた、請求項１〜３のいずれかに記載の自動スクリーン。
【請求項５】
前記異物収容部は収容した異物を搬送する機能を有する、請求項４記載の自動スクリーン。
【請求項６】
前記ワイヤーに絡みついた異物を除去するための異物掻き取り部を備えた、請求項１〜５のいずれかに記載の自動スクリーン。
【発明の詳細な説明】
【技術分野】
【０００１】
本発明は自動スクリーンに関し、特に、排水処理装置において排水あるいは汚水に含まれる異物を取り除くために使用される自動スクリーンに関するものである。
【背景技術】
【０００２】
工場や一般家庭等から排出された汚水を浄化するために排水処理装置が使用される。その排水処理装置では、汚水等に含まれる固体の異物があらかじめ取り除かれる。そのような異物を除去するために、従来から、たとえば特許文献１に記載されているように、断面形状が楔形をしたウエッジワイヤーを間隔を隔ててスリット状に配設したスクリーン本体を備えたウエッジワイヤー型のスクリーンが使用されている。このスクリーンでは、スクリーン本体を汚水が通過する際にウエッジワイヤーの間隔よりも大きい異物がスクリーン本体によって捕らえられて、汚水に含まれる異物が取り除かれることになる。
【０００３】
このような排水処理装置におけるスクリーンでは、稼働時間とともにウエッジワイヤーとウエッジワイヤーとの隙間に異物が詰まってスクリーン本体が目詰まりを起こすことがある。スクリーン本体の目詰まりを解消するために、排水処理装置では洗浄機構として回転ブラシが設けられている。回転ブラシがウエッジワイヤーとウエッジワイヤーとの隙間に詰まった異物を擦り落とすことによって、異物が除去される。
【０００４】
このような回転ブラシの他に、洗浄機構としては、スクリーン本体に振動を与えることによって異物を除去する振動機構や、スクリーン本体の全体に散水することにより異物を洗い流す散水機構も提案されている。
【特許文献１】特開２００１−２５９６７７号公報
【発明の開示】
【発明が解決しようとする課題】
【０００５】
しかしながら、従来の排水処理装置のスクリーンでは次のような問題点があった。すなわち、上述したように、スクリーン本体の目詰まりを解消するために回転ブラシや振動機構等の付加的な洗浄機構が必要とされた。
【０００６】
本発明は上記問題点を解決するためになされたものであり、その目的は、排水処理装置に使用され、付加的な洗浄機構を設けることなくスクリーン本体の目詰まりを確実に防止する自動スクリーンを提供することである。
【課題を解決するための手段】
【０００７】
本発明に係る自動スクリーンは、排水処理装置において異物を除去するために使用される自動スクリーンであって、第１ローラと第１溝部と第２ローラと第２溝部と第３ローラと第３溝部とワイヤーと駆動部とを備えている。第１ローラは所定の長さを有している。第１溝部は、第１ローラの周面に第１のピッチをもってスパイラル状に形成されている。第２ローラは所定の長さを有し、第１ローラと距離を隔てて第１ローラと平行に配置されている。第２溝部は、第２ローラの周面に第１のピッチよりも大きい第２のピッチをもってスパイラル状に形成されている。第３ローラは、第１ローラおよび第２ローラと距離を隔てて第１ローラおよび第２ローラと平行に配置されている。第３溝部は、第３ローラの周面に第１のピッチをもってスパイラル状に形成されている。ワイヤーは、第１ローラ、第２ローラおよび第３ローラの順番に、第１ロールの最も一端側に位置する第１溝部の部分、第２ローラの最も一端側に位置する第２溝部の部分および第３ローラの最も一端側に位置する第３溝部の部分から、第１ローラの最も他端側に位置する第１溝部の部分、第２ローラの最も他端側に位置する第２溝部の部分および第３ローラの最も他端側に位置する第３溝部の部分にわたってスパイラル状に順次かけられている。駆動部はワイヤーを一定の方向に移動させる。第１ローラと第３ローラとの間にわたされたワイヤー部分によって、隣り合うワイヤー部分の間隔が第１のピッチに基づく所定の間隔のスクリーン本体が構成されている。第１ローラと第２ローラとの間にわたされたワイヤー部分および第２ローラから第３ローラとの間にわたされたワイヤー部分では、隣り合うワイヤー部分の間隔が第１のピッチに基づく所定の間隔と第２のピッチに基づく間隔との間で変化するよう構成されている。
【０００８】
この構成によれば、第１のピッチに基づいた所定の間隔のワイヤーによって構成されるスクリーン本体によって、その間隔よりも大きい異物を捕えることができ、しかも、スクリーン本体において、ワイヤーとワイヤーとの間に異物が挟まれれるようなことがあっても、ワイヤーとワイヤーとの間隔が第２のピッチに基づいた間隔にまで広がることで挟まれた異物が落下してこれを取り除くことができる。これにより、付加的な洗浄機構を設けることなくスクリーン本体の目詰まりを確実に解消することができる。
【０００９】
ワイヤーのかけ方の態様としては、ワイヤーは、第１ローラの最も一端側に位置する第１溝部の部分にかかるワイヤーの部分と、第３ローラの最も他端側に位置する第３溝部の部分にかかるワイヤーの部分とが繋がれてエンドレスとされ、ワイヤーはエンドレスの状態で移動される態様がある。
【００１０】
また、他の態様として、第１ローラの最も一端側に位置する第１溝部の部分にかかるワイヤーの部分と接続されてワイヤーを巻取る第１巻取り部と、第３ローラの最も他端側に位置する第３溝部の部分にかかるワイヤーの部分と接続されてワイヤーを巻取る第２巻取り部とを備え、ワイヤーは、第１巻取り部および第２巻取り部に対して交互に巻取られるよう一方向と他方向に交互に移動される態様がある。
【００１１】
スクリーン本体に捕えられた異物を取り除くためには、スクリーン本体におけるワイヤーの移動方向下流側に、スクリーン本体上に捕えられた異物を収容するための異物収容部を備えていることが好ましい。
【００１２】
その異物収容部は、捕えた異物を搬送する機能を有していてもよい。
【００１３】
また、ワイヤーそのものに絡みついた異物を除去するためには、これを掻き取る異物掻き取り部を備えていることが好ましい。
【発明を実施するための最良の形態】
【００１４】
実施の形態１
本発明の実施の形態１に係る排水処理装置に使用される自動スクリーンについて説明する。図１に示すように、自動スクリーン１では、第１ローラ３、第２ローラ５および第３ローラ７が互いに平行に間隔を隔てて配設されている。第１ローラ３の周面には、図２に示すように、所定のピッチ（Ｐ1）をもってスパイラル状の溝３３が形成されている。第２ローラ５の周面には、図３に示すように、ピッチ（Ｐ1）よりも大きいピッチ（Ｐ2）をもってスパイラル状の溝５５が形成されている。第３ローラ７の周面には、図２に示すように、第１ローラ３と同様にピッチ（Ｐ1）をもってスパイラル状の溝７７が形成されている。第１ローラ３〜第３ローラ７は、たとえばゴムから形成されていることが好ましいが、金属や樹脂等から形成されていてもよい。
【００１５】
その第１ローラ３、第２ローラ５および第３ローラ７に対して、第１ローラ３、第２ローラ５および第３ローラ７の順番にワイヤー９がスパイラル状に所定の張力をもってかけられている。ワイヤー９は、たとえば金属または合成樹脂等から形成されている。また、ワイヤー９の直径は０．５〜１ｍｍ程度である。
【００１６】
そのワイヤー９のかけ方についてより詳しく説明する。図４に示すように、ワイヤー９は、まず、第１ロール３に形成された溝３３のうち最も一端側に位置する溝部分３３ａにかけられている。溝部分３３ａにかけられたワイヤー９は、次に、第２ロール５に形成された溝５５のうち最も一端側に位置する溝部分５５ａにかけられ、そして、第３ロール７に形成された溝７７のうち最も一端側に位置する溝部分７７ａにかけられている。
【００１７】
次に、ワイヤー９は、第１ロール３に形成された溝部分３３ａの隣りに位置する溝部分３３ｂ、第２ロール５に形成された溝部分５５ａの隣りに位置する溝部分５５ｂ、第３ロール７に形成された溝部分７７ａの隣りに位置する溝部分７７ｂに順にかけられている。以下、第１ロール３、第２ロール５および第３ロール７にそれぞれ形成されたスパイラル状の溝３３，５５，７７の各溝部分に対し、一端側（手前側）から他端側（奥側）に向かってワイヤー９が順次かけられている。
【００１８】
そして、第１ロール３に形成された溝３３のうち最も他端側に位置する溝部分３３ｃの部分、第２ロール５に形成された溝５５のうち最も他端側に位置する溝部分５５ｃおよび第３ロール７に形成された溝７７のうち最も他端側に位置する溝部分７７ｃに順にかけられたワイヤー９は、所定の従動のローラ１１、１３にかけられて、最初の第１ロール３に形成された溝３３のうち最も一端側に位置する溝部分３３ａの部分にかけられているワイヤー部分に繋がっている。
【００１９】
このようにして、エンドレスのワイヤー９が第１ローラ３、第２ローラ５および第３ローラ７にスパイラル状にかけられている。スパイラル状にかけられたワイヤー９を所定の方向に移動するために、たとえば第１ローラ３を回転駆動するための駆動部８が設けられている。第２ローラ５および第３ローラ７は従動ローラとなる。
【００２０】
図１に示すように、第１ローラ３、第２ローラ５および第３ローラ７に順次かけられるワイヤー９のうち、第１ローラ３と第３ローラ７との間にわたされたワイヤー９の部分によってスクリーン本体１０が構成される。スクリーン本体１０では、図５に示すように、隣り合うワイヤー９の間隔は第１ローラ３と第３ローラ７とにそれぞれ形成された溝３３，７７のピッチＰ１に基づいた一定の間隔Ｌ１に保持されている。
【００２１】
一方、図６に示すように、第１ローラ３と第２ローラ５との間にわたされたワイヤー９の部分では、隣り合うワイヤー９の間隔は第１ローラ３に形成された溝３３のピッチＰ１に基づいた間隔Ｌ１から第２ローラ５に形成された溝５５のピッチＰ2に基づいた間隔Ｌ2にまで広げられることになる。そして、第２ローラ５と第３ローラ７との間にわたされたワイヤー９の部分では、隣り合うワイヤー９の間隔はピッチＰ2に基づいた間隔Ｌ2からピッチＰ１に基づいたもとの間隔Ｌ１にまで狭められることになる。
【００２２】
次に、上述した排水処理装置の動作について説明する。図７に示すように、まず、駆動ローラとしての第１ローラ３を回転駆動させることで、ワイヤー９が矢印３１に示す方向に移動する。スクリーン本体１０におけるワイヤー９の移動方向上流側の上方に配置されたパイプ１５から汚水がスクリーンにめがけて注がれる。図８に示すように、スクリーン本体１０では、汚水に含まれる異物のうちワイヤーの間隔Ｌ１より大きい異物１７ａ〜１７ｃが捕えられる。スクリーン本体１０に捕えられる異物のうち、ワイヤー９の間隔Ｌ１に比べて十分に大きい異物１７ａは、図９に示すように、ワイヤー９の移動とともに第１ローラ３の近傍に配設された異物収容部１８に収容される。
【００２３】
一方、図８に示すように、ワイヤー９の間隔Ｌ１と同程度の大きさの異物１７ｂ、１７ｃの場合には、隣り合うワイヤー９とワイヤー９との間に挟まれてしまい、異物収容部１８へ収容されない場合がある。この場合には、ワイヤー９とワイヤー９との間に挟まれた異物１７ｂ，１７ｃは、ワイヤー９の移動とともに第１ローラ３を経て第２ローラ５へ向かって移動してしまうことになる。
【００２４】
第１ローラ３と第２ローラ５との間にわたされたワイヤー９の部分では、図１０に示すように、隣り合うワイヤー９とワイヤー９との間隔は間隔Ｌ１から間隔Ｌ2にまで徐々に広がる。これにより、ワイヤー９とワイヤー９との間に挟まれた異物１７ｂ，１７ｃは落下して下方の異物収容部（図示せず）に収容される。
【００２５】
一方、スクリーン本体１０を通過した汚水はスクリーン１０の下方に配設された汚水受部１６に受けられて、次の処理を施すための処理装置等へ送られることになる。このようにして、汚水に含まれる異物がスクリーン本体１０に捕えられるとともに、スクリーン本体１０に捕えられた異物がワイヤー９から取り除かれることになる。
【００２６】
上述した自動スクリーン１によれば、第１ローラ３〜第３ローラ７に対してスパイラル状にかけられたワイヤー９のうち、それぞれ同じピッチＰ１をもってスパイラル状の溝３３，７７が形成された第１ローラ３と第３ローラ７との間にわたされたワイヤー９の部分によってスクリーン本体１０が構成される。スクリーン本体１０によって、間隔Ｌ１よりも大きい異物を汚水から分離してこれを取り除くことができる。
【００２７】
また、第１ローラ３と第２ローラ５との間にわたされたワイヤー９の部分では、隣り合うワイヤー９の間隔は第１ローラ３に形成された溝３３のピッチＰ１に基づいた間隔Ｌ１から第２ローラ５に形成された溝５５のピッチＰ2に基づいた間隔Ｌ2にまで広げられることによって、スクリーン本体１０においてワイヤー９とワイヤー９との間に挟まれた異物があったとしても、そのような挟まれた異物は落下してこれを取り除くことができる。
【００２８】
このようにして、自動スクリーン１では、移動するワイヤー９によってスクリーン本体１０を構成し、その移動するワイヤー９の間隔をスクリーン本体１０における間隔よりも広い部分を設けることによって、ブラシ等のような付加的な洗浄機構を設けることなくスクリーン本体１０の目詰まりを確実に解消することができる。
【００２９】
また、スクリーン本体１０をなすワイヤー９の間隔を、第１ローラ３および第３ローラ７のそれぞれの周面に形成するスパイラル状の溝のピッチを変えることにより、用途に応じた所定の間隔に容易に設定することができる。
【００３０】
なお、ワイヤー９そのもに絡みついた異物については、たとえば、図１１に示すように、パイプ状の異物掻き取り器１９をワイヤー９に装着してもよい。また、異物収容部１８に収容された異物を搬送するために、たとえばベルトコンベアなどの搬送機能を異物収容部１８に備えてもよい。
【００３１】
実施の形態２
前述した自動スクリーンでは、ワイヤーがエンドレスの場合を例に挙げた。ここでは、ワイヤーを巻き取るタイプの自動スクリーンを例に挙げる。図１２に示すように、第１ローラ３の上方にはワイヤー９を巻き取るためのワイヤー巻き取り器２０が配設されている。第３ローラ７の上方にもワイヤー９を巻き取るためのワイヤー巻き取り器２１が配設されている。ワイヤー巻き取り器２０には、たとえば、第１ローラ３に形成される溝のうち最も一端側に位置する溝部分にかかるワイヤー９の部分が接続されている。ワイヤー巻き取り器２１には、第３ローラ７に形成される溝のうち最も他端側に位置する溝部分にかかるワイヤー９の部分が接続されている。
【００３２】
ワイヤー巻き取り器２０，２１の双方に、ワイヤー９を巻き取るための駆動部８が設けられている。このため、第１ローラ３〜第３ローラ７はすべて従動ローラとなる。ワイヤー９の第１ローラ３〜第３ローラ７へのかけ方は、前述した排水処理装置と同様である。したがって、第１ローラ３と第３ローラ７との間にわたされたワイヤー９によってスクリーン本体１０が構成される。スクリーン本体１０の上方には汚水を注ぎ込むためのパイプ１５が配設されている。パイプ１５には、ワイヤー巻き取り器２０，２１の巻き取り方向に対応して汚水を注ぎ込むために、第１ローラ３側と第３ローラ７側とに２つの注ぎ口１５ａ，１５ｂが設けられている。
【００３３】
次に、上述した自動スクリーン１の動作について説明する。まず、最初の状態として、図１２に示すように、ワイヤー９はワイヤー巻き取り器２０に巻き取られた状態にあるとする。この状態からは、図１３に示すように、ワイヤー巻き取り器２１に設けられた駆動部８が駆動を開始して、ワイヤー９は矢印３２に示す方向に移動しながらワイヤー巻き取り器２１に徐々に巻き取られることになる。この状態では、スクリーン本体１０の上方に配置された注ぎ口１５ａ，１５ｂのうち、ワイヤー９の移動方向上流側（第３ローラ７側）の上方に位置する注ぎ口１５ｂから汚水がスクリーン本体１０にめがけて注がれる。
【００３４】
スクリーン本体１０では、前述した自動スクリーンと同様に、汚水に含まれる異物のうちワイヤー９の間隔より大きい異物が捕えられる。捕えられた異物は第１ローラ３の側に設けられた異物収容部（図示せず）に収容される。また、ワイヤー９とワイヤー９との間に挟まれた異物は、第１ローラ３と第２ローラ５との間にわたされたワイヤー９の部分で落下して下方の異物収容部（図示せず）に収容される。
【００３５】
ワイヤー巻き取り器２１にワイヤー９が巻き取られると、ワイヤー巻き取り器２１側の駆動部８が停止する。次に、図１４に示すように、ワイヤー巻き取り器２０側の駆動部８が駆動を開始して、ワイヤー９は矢印３３に示す方向に移動しながらワイヤー巻き取り器２０に徐々に巻き取られることになる。この状態で、スクリーン１０の上方に配置された注ぎ口１５ａ，１５ｂのうち、ワイヤー９の移動方向上流側（第１ローラ３側）の上方に位置する注ぎ口１５ａから汚水がスクリーン本体１０にめがけて注がれる。
【００３６】
スクリーン本体１０では、汚水に含まれる異物のうちワイヤー９の間隔より大きい異物が捕えられる。捕えられた異物は第３ローラ７の側に設けられた異物収容部（図示せず）に収容される。また、ワイヤー９とワイヤー９との間に挟まれた異物は、第３ローラ７と第２ローラ５との間にわたされたワイヤー９の部分で落下して下方の異物収容部（図示せず）に収容される。このようにして、ワイヤー９はワイヤー巻き取り器２０とワイヤー巻き取り器２１に交互に巻き取られ、その間にスクリーン本体１０によって異物が捕えられることになる。
【００３７】
上述した自動スクリーンでは、前述した自動スクリーンと同様に、ピッチＰ１に基づいた所定の間隔のワイヤー９によって構成されるスクリーン本体１０によって、その間隔よりも大きい異物が捕えることができ、しかも、スクリーン本体１０において、ワイヤー９とワイヤー９との間に異物が挟まれれるようなことがあっても、ワイヤー９の間隔が広がることで挟まれた異物が落下してこれを取り除くことができる。これにより、ブラシ等のような付加的な洗浄機構を設けることなくスクリーン本体１０の目詰まりを確実に解消することができる。
【００３８】
なお、今回開示された実施の形態はすべての点で例示であって制限的なものではない。本発明は上記で説明した範囲ではなく、特許請求の範囲によって示され、特許請求の範囲と均等の意味および範囲でのすべての変更が含まれることが意図される。
【図面の簡単な説明】
【００３９】
【図１】本発明の実施の形態１に係る自動スクリーンの斜視図である。
【図２】同実施の形態において、第１ローラまたは第３ローラを示す部分側面図である。
【図３】同実施の形態において、第２ローラを示す部分側面図である。
【図４】同実施の形態において、ワイヤーのかけ方を説明するための斜視図である。
【図５】同実施の形態において、第１ローラと第３ローラとの間にわたされるワイヤーの部分を示す部分斜視図である。
【図６】同実施の形態において、第１ローラと第２ローラとの間または第２ローラと第３ローラとの間にわたされるワイヤーの部分を示す部分斜視図である。
【図７】同実施の形態において、自動スクリーンの動作を説明するための側面図である。
【図８】同実施の形態において、スクリーンに異物が捕えられる様子を示す部分斜視図である。
【図９】同実施の形態において、スクリーンに捕えられた異物が取り除かれる様子を示す側面図である。
【図１０】同実施の形態において、ワイヤーとワイヤーとの間に挟まれた異物が落下する様子を示す部分斜視図である。
【図１１】同実施の形態において、ワイヤーに絡みついた異物を取り除くための掻き取り器を示す部分斜視図である。
【図１２】本発明の実施の形態２に係る自動スクリーンの側面図である。
【図１３】同実施の形態において、自動スクリーンの動作を説明するための第１の状態を示す側面図である。
【図１４】同実施の形態において、自動スクリーンの動作を説明するための第２の状態を示す側面図である。
【符号の説明】
【００４０】
１  自動スクリーン、３  第１ローラ、５  第２ローラ、７  第３ローラ、８  駆動部、９  ワイヤー、１０  スクリーン本体、１１，１３  ローラ、１５  パイプ、１５ａ，１５ｂ  注ぎ口、１６  汚水受部、１７ａ，１７ｂ，１７ｃ  異物、１８  異物収容部、１９  異物掻き取り器、２０，２１  ワイヤー巻き取り器、３３，５５，７７  溝、３３ａ，３３ｂ，３３ｃ，５５ａ，５５ｂ，５５ｃ，７７ａ，７７ｂ，７７ｃ  溝部分。
【図１】
2006007098.tif 000003
【図２】
2006007098.tif 000004
【図３】
2006007098.tif 000005
【図４】
2006007098.tif 000006
【図５】
2006007098.tif 000007
【図６】
2006007098.tif 000008
【図７】
2006007098.tif 000009
【図８】
2006007098.tif 000010
【図９】
2006007098.tif 000011
【図１０】
2006007098.tif 000012
【図１１】
2006007098.tif 000013
【図１２】
2006007098.tif 000014
【図１３】
2006007098.tif 000015
【図１４】
2006007098.tif 000016